(57)【要約】【課題】車両内の限られたスペースにおいて、よりシンプルな構造にて、冷却性能を低下させることなく、冷却ファンの駆動に伴う騒音をより低減することが可能な車両用冷却ファン装置を提供する。【解決手段】車両の進行方向が開口してラジエータまたはコンデンサの少なくとも一方を収容した箱状形状のファンシュラウド３０と、車両の進行方向とは反対側に設けられた冷却ファン１０、２０とを備え、冷却ファンは２つ以上が、互いの中心軸が上下方向に所定距離だけ離れるように、ファンシュラウドのファン取付面に配置され、隣り合う冷却ファンの間には、ファン取付面に、上方から下方へと向かうとともにラジエータまたはコンデンサに向かう方向に突出した遮蔽リブ３０Ｆが設けられ、遮蔽リブにおける上端近傍部または下端近傍部の少なくとも一方には、冷却ファンの駆動によって発生する騒音を低減するための切欠き部Ｋ１が設けられている。【選択図】図１
2014101870.tif 000002
【特許請求の範囲】
【請求項１】
車両の進行方向が開口してラジエータまたはコンデンサの少なくとも一方を収容した箱状形状のファンシュラウドと、
前記ファンシュラウドにおける車両の進行方向とは反対の側に設けられた冷却ファンと、を備えた車両用冷却ファン装置において、
前記冷却ファンは２つ以上が、互いの中心軸が上下方向に所定距離だけ離れるように、前記ファンシュラウドにおけるファン取付面に配置されており、
隣り合う前記冷却ファンの間には、前記ファン取付面に、上方から下方へと向かうとともに前記ラジエータまたは前記コンデンサに向かう方向に突出した遮蔽リブが設けられており、
前記遮蔽リブにおける上端近傍部または下端近傍部の少なくとも一方には、前記冷却ファンの駆動によって発生する騒音を低減するための切欠き部が設けられている、
車両用冷却ファン装置。
【請求項２】
車両の進行方向に開口して、ラジエータまたはコンデンサの少なくとも一方に空気流を誘導するファンシュラウドと、
前記ファンシュラウド内に複数の冷却ファンが収容された車両用冷却ファン装置において、
前記複数の冷却ファンの内、少なくとも隣り合う２つの冷却ファンが並列に配置され、かつ、互いの中心軸が上下方向に所定距離だけ離れるように、配置されており、
前記冷却ファンの間には、前記ファンシュラウド内に、上方から下方へと向かうとともに前記冷却ファンの間を仕切る遮蔽リブが設けられており、
前記遮蔽リブにおける上端近傍部または下端近傍部の少なくとも一方には、前記冷却ファンの駆動によって発生する騒音を低減するための切欠き部が設けられている、
車両用冷却ファン装置。
【請求項３】
請求項１または２に記載の車両用冷却ファン装置であって、
前記切欠き部は、前記遮蔽リブにおける下端近傍部に設けられている、
車両用冷却ファン装置。
【発明の詳細な説明】
【技術分野】
【０００１】
本発明は、車両のエンジンのラジエータや空調装置のコンデンサの少なくとも一方に空気流を誘導する箱状形状のファンシュラウドと、冷却ファンと、を備えた車両用冷却ファン装置に関する。
【背景技術】
【０００２】
従来より、車両のエンジンを冷却する冷却水はラジエータにて冷却されており、車両の空調用の冷媒はコンデンサにて冷却されている。そしてラジエータやコンデンサは、通常、車両の走行時に車両前方から取り入れた空気流にて冷却されるように配置されている。
しかし、渋滞によって走行による空気流が不足する場合等を考慮して、一般的には、ラジエータやコンデンサの背面には、走行による空気流と同一方向の空気流を発生可能な冷却ファンが設けられている。そして、当該冷却ファンの空気流を効率よく利用するために箱状のファンシュラウドが構成され、当該ファンシュラウドにラジエータ、コンデンサ、冷却ファン等が収容されている。
近年では、ファンシュラウドと冷却ファンを備えた、種々の車両用冷却ファン装置が提案されている。
【０００３】
例えば特許文献１に記載された従来技術には、２個の冷却ファンと１個のファンコントローラを備えた自動車用熱交換装置が提案されている。なお、ファンコントローラは発熱量が比較的多いので、適切に冷却する必要がある。そこで当該従来技術では、ファンコントローラを、ファンシュラウドの中央部分から偏った位置であって一方の冷却ファンからの空気流の一部で冷却できるファンシュラウド上の位置に配置している。更に当該従来技術では、ファンコントローラから他方の冷却ファンへとダクトを配置して、他方の冷却ファンからの空気流の一部をファンコントローラに導き、いずれかの冷却ファンが停止するような場合があっても、ファンコントローラを適切に冷却することができる構成を有している。そして、隣り合う冷却ファンの間には、各冷却ファンの作動空間を仕切る隔壁が、ラジエータの側に突出するように設けられており、この隔壁におけるファンコントローラに近い位置となる上部には、ファンコントローラへの空気流を増すための連通部を設けてもよいことが記載されている。
また特許文献２に記載された従来技術には、空気流の流量をより多くするために、より大径の２個の冷却ファンを、一部が重なるようにファンシュラウドに配置している。しかし、冷却ファンが重なっている個所では空気流の速度が速く、冷却ファンを駆動した場合に不快な騒音が発生する可能性があるので、ファンブレードの形状を特殊な形状にする等して騒音を抑制している。なお当該従来技術では、冷却ファンが重なっているので、各冷却ファンの作動空間を仕切る隔壁は設けられていない。
【先行技術文献】
【特許文献】
【０００４】
【特許文献１】特開２００５−１６３７２０号公報
【特許文献２】特表２００５−５２０９６９号公報
【発明の概要】
【発明が解決しようとする課題】
【０００５】
特許文献１に記載された従来技術には、冷却ファンの駆動に伴う騒音の発生及び当該騒音の低減に関する記載は見受けられない。
また特許文献２に記載された従来技術では、冷却ファンの駆動に伴う騒音を低減するために、ファンブレードの形状を特殊な形状にしたり、一方の冷却ファンの径に対する他方の冷却ファンの径の比を限定したり、冷却ファンの重なる範囲を限定したりしており、構造が複雑であるとともに、設計の自由度が大きく限定される。なお、騒音の発生源が冷却ファンではなく空気流が通過するラジエータ側の形状等である場合は適切に騒音を低減することができない。
なお、冷却ファンによる空気流が均一でなく部分的に流速の速い部分が存在すると、冷却ファンの駆動に伴う騒音が発生し易い。また一般的に、冷却ファンの回転数が比較的高い場合も、冷却ファンの駆動に伴う騒音が発生し易い。これより、騒音を抑制する方法として、以下の（１）〜（３）の方法が考えられる。
（１）冷却ファンの回転数を低下させる。
（２）ファンコントローラを用いて冷却ファンの回転数を可変制御し、騒音が発生し易い回転数を避けて冷却ファンを制御する。
（３）冷却ファンによる空気流の流速が速い部分に障害物（遮蔽板等）を配置して、流速の速い部分をなくし、流速をより均一化する。
しかし、上記の（１）〜（３）の方法は、どれも冷却性能の低下が懸念されるので、好ましくない。
また、冷却ファンの羽枚数を増加して流速をより均一化する方法や、冷却ファンの周囲のスペースを拡大して流速をより均一化する方法も考えられるが、羽枚数を増加する方法では、騒音の発生源が冷却ファンではなく空気流が通過するラジエータ側の形状等である場合、適切に騒音を低減することができない。また周囲のスペースを拡大する方法は、車両という限られたスペース内では、実施が非常に困難である。
本発明は、このような点に鑑みて創案されたものであり、車両内の限られたスペースにおいて、よりシンプルな構造にて、冷却性能を低下させることなく、冷却ファンの駆動に伴う騒音をより低減することが可能な車両用冷却ファン装置を提供することを課題とする。
【課題を解決するための手段】
【０００６】
上記課題を解決するため、本発明に係る車両用冷却ファン装置は次の手段をとる。
まず、本発明の第１の発明は、車両の進行方向が開口してラジエータまたはコンデンサの少なくとも一方を収容した箱状形状のファンシュラウドと、前記ファンシュラウドにおける車両の進行方向とは反対の側に設けられた冷却ファンと、を備えた車両用冷却ファン装置において、前記冷却ファンは２つ以上が、互いの中心軸が上下方向に所定距離だけ離れるように、前記ファンシュラウドにおけるファン取付面に配置されており、隣り合う前記冷却ファンの間には、前記ファン取付面に、上方から下方へと向かうとともに前記ラジエータまたは前記コンデンサに向かう方向に突出した遮蔽リブが設けられており、前記遮蔽リブにおける上端近傍部または下端近傍部の少なくとも一方には、前記冷却ファンの駆動によって発生する騒音を低減するための切欠き部が設けられている、車両用冷却ファン装置である。
【０００７】
また、本発明の第２の発明は、車両の進行方向に開口して、ラジエータまたはコンデンサの少なくとも一方に空気流を誘導するファンシュラウドと、前記ファンシュラウド内に複数の冷却ファンが収容された車両用冷却ファン装置において、前記複数の冷却ファンの内、少なくとも隣り合う２つの冷却ファンが並列に配置され、かつ、互いの中心軸が上下方向に所定距離だけ離れるように、配置されており、前記冷却ファンの間には、前記ファンシュラウド内に、上方から下方へと向かうとともに前記冷却ファンの間を仕切る遮蔽リブが設けられており、前記遮蔽リブにおける上端近傍部または下端近傍部の少なくとも一方には、前記冷却ファンの駆動によって発生する騒音を低減するための切欠き部が設けられている車両用冷却ファン装置である。
【０００８】
この第１または第２の発明では、隣り合う冷却ファンの間に設けられている遮蔽リブの上端近傍部または下端近傍部の少なくとも一方に、切欠き部が設けられている。
これにより、切欠き部が無い場合と比較して、遮蔽リブの切欠き部の近傍では、冷却ファンの駆動時に、冷却ファンに流れ込んでくる空気が多くなるので、空気流の流速が低減される。そして空気流の流速が低減されることで、冷却ファンの駆動に伴う騒音をより低減することができる。
なお、空気流の流速を低減するので、騒音源が冷却ファンであっても、ラジエータ等の側であっても、騒音の低減に有効である。また、ファンシュラウド内の遮蔽リブの一部に切欠き部を設けるだけであるので、冷却性能も低下せず、非常にシンプルな構造で騒音の低減を実現することができる。
【０００９】
次に、本発明の第３の発明は、上記第１または第２の発明に係る車両用冷却ファン装置であって、前記切欠き部は、前記遮蔽リブにおける下端近傍部に設けられている、車両用冷却ファン装置である。
【００１０】
この第３の発明では、遮蔽リブの下端近傍部に切欠き部が設けられている。
車両のデザイン上の都合、または空気抵抗低減の為、ラジエータグリルが縮小又は廃止され、車両の前部に設けられる空気取り入れ口が、車両下方の、主にはバンパーに設定される傾向がある。この為、車両用冷却ファン装置における下方に走行風が多く流入するので、下方で流速が早くなりやすい傾向がある。
しかし、遮蔽リブの下端近傍部に切欠き部を設けることで、空気流の流速が低減され、冷却ファンの駆動に伴う騒音をより低減することができる。また、ファンシュラウド内の遮蔽リブの一部に切欠き部を設けるだけであるので、冷却性能も低下せず、非常にシンプルな構造で騒音の低減を実現することができる。
【図面の簡単な説明】
【００１１】
【図１】第１の実施の形態における車両用冷却ファン装置の外観を説明する斜視図である。
【図２】第１の実施の形態における車両用冷却ファン装置の概略背面図である。
【図３】図２におけるＡ−Ａ断面図である。
【図４】第２の実施の形態における車両用冷却ファン装置の概略背面図である。
【図５】図４におけるＢ−Ｂ断面図である。
【発明を実施するための形態】
【００１２】
以下に本発明を実施するための形態を図面を用いて説明する。なお、各図においてＸ軸とＹ軸とＺ軸は互いに直交しており、Ｘ軸とＹ軸は水平方向を示しており、Ｚ軸は鉛直上向きを示している。またＸ軸に向かう方向は車両用冷却ファン装置１が取り付けられた車両の進行方向を示しており、当該車両が走行した場合あるいは冷却ファン１０、２０を駆動した場合に、Ｘ軸方向に沿った空気流が発生する。
【００１３】
●［第１の実施の形態における車両用冷却ファン装置１（図１〜図３）］
以下、図１〜図３を用いて、第１の実施の形態の車両用冷却ファン装置１について説明する。
車両用冷却ファン装置１は、コンデンサ４１またはラジエータ４２の少なくとも一方を収容した箱状のファンシュラウド３０と、当該ファンシュラウド３０における車両の進行方向とは反対の側に設けられた冷却ファン１０、２０を備えている。なお本実施の形態の説明では、ファンシュラウド３０にコンデンサ４１及びラジエータ４２の双方を収容している例を説明するが、コンデンサ４１とラジエータ４２の、どちらが車両の進行方向の側であってもよい。
ファンシュラウド３０は、上面パネル３０Ａ、底面パネル３０Ｂ、右側面パネル３０Ｃ、左側面パネル３０Ｄ、背面パネル３０Ｅ（ファン取付面に相当）を有して車両の進行方向の側にはパネルが無く開口している箱状形状であり、背面パネル３０Ｅには、冷却ファン１０、２０の径に対応する径の取付孔Ｈ１、Ｈ２が設けられている。そして取付孔Ｈ１、Ｈ２には冷却ファン１０、２０が取り付けられている。
車両が走行している場合、あるいは冷却ファン１０、２０が駆動されている場合では、当該開口している側から冷却ファンの取付孔へと空気が流れ、開口している側から流入した空気がファンシュラウド３０に収容されているコンデンサ４１及びラジエータ４２を冷却する。
【００１４】
冷却ファン１０、２０は、電動モータあるいはエンジンの回転動力が伝達されたベルト等にて回転駆動され、本実施の形態の説明では、電動モータで回転駆動される冷却ファンの例を記載している。
また各冷却ファン１０、２０の径は、冷却ファンによる空気流の流量をより多くするために、背面パネル３０Ｅに取付可能な径であって可能な限り大きな径に設定されている。そのため、図２に示すように、冷却ファン１０と冷却ファン２０は、水平方向に並ぶように背面パネル３０Ｅに配置することが困難であり、互いの中心軸Ｚ１０、Ｚ２０が、上下方向に所定距離（図２の例では距離Ｄ１）だけ離れるように配置されている。
また、車両の搭載スペースも限られているので、冷却ファン１０、２０は、Ｘ軸方向に重ならないように配置されている。
【００１５】
また、冷却ファン１０及び冷却ファン２０の作動時における互いの干渉を回避するために、隣り合う冷却ファンの間には、背面パネル３０Ｅに、上方から下方へと向かって延びるとともにコンデンサ４１やラジエータ４２に向かう方向に突出した遮蔽リブ３０Ｆが設けられている。
ファンシュラウド３０内の上端から下端へと遮蔽リブ３０Ｆが設けられていることで、冷却ファン１０による空気流の有効範囲と、冷却ファン２０による空気流の有効範囲とが仕切られている。
【００１６】
次に図２に示す車両用冷却ファン装置１の背面図、及び図３に示す断面図（図２におけるＡ−Ａ断面図）を用いて、車両用冷却ファン装置１の特徴について説明する。
車両用冷却ファン装置１は、車両の限られたスペース内（エンジンルーム内）に配置されており、周囲には種々の機器や部材が配置されている。
車両用冷却ファン装置１がエンジンルーム内に搭載された状態では、一般的に、エンジンの前方に配置される。車両用冷却ファン装置１の上方はボンネットで覆われると共に、下方は路面に開放されており、車両用冷却ファン装置１の前方は、図３の例に示すように、バンパー５０で覆われている。そしてバンパー５０の下方には、車両用冷却ファン装置１の為の、空気取り入れ用の開口部５１が形成されている。
【００１７】
このため、冷却ファン１０、２０が取り付けられている取付孔Ｈ１、Ｈ２の内側の領域である空気排出領域において、図２に示す高流速領域Ａ１では、空気の流れのよい下方に近く、冷却ファン１０、２０を駆動した際、他の領域よりも空気の流れる速度が速くなる傾向にある。
なお高流速領域Ａ１は、より下方に配置された冷却ファン（図２の場合、冷却ファン１０）の側における下方の領域であり、他の領域よりも空気の流れが速い高流速領域Ａ１では、ラジエータ、コンデンサ、ファンブレード等を通過する速い空気流によって騒音が発生し易い。
なお冷却ファン１０、２０の領域内（取付孔Ｈ１、Ｈ２の内側であって前記空気排出領域）における各位置の流速を測定するには、例えば、冷却ファンの径よりも小さな径の流量センサを近づけて領域内の各位置の空気の流量を計測することで、所望する部分の流速を測定することができる（流量から流速に換算する）。
【００１８】
また、ラジエータ、コンデンサ、ファンブレード等のどれが騒音の発生源となるかを特定することは非常に困難であり、状況に応じて発生源が異なる場合も考えられる。従って、発生源の側で形状を変える等して騒音を低減することは非常に困難である。しかし、騒音の発生源を特定できなくても、騒音の発生要因が、より速い空気流の領域が存在することであれば、空気流の速い領域を無くしてしまえばよい。
そこで図３に示すように、冷却ファンの有効範囲を仕切っている遮蔽リブ３０Ｆの下端近傍部に切欠き部Ｋ１を設ける。
この切欠き部Ｋ１により、冷却ファン１０が駆動された際、切欠き部Ｋ１を通って冷却ファン２０の側からも空気が流入し、切欠き部Ｋ１が無い状態と比較してより多くの空気が流入するので、高流速領域Ａ１における空気の流速をより低減させることができる。
これにより、空気の流れが速い領域がなくなり、空気の流れの速度が均一化され、冷却ファンの駆動に伴う騒音を低減することができる。
【００１９】
●［第２の実施の形態における車両用冷却ファン装置１Ａ（図４、図５）］
次に図４及び図５を用いて、第２の実施の形態の車両用冷却ファン装置１Ａについて説明する。
第２の実施の形態は、第１の実施の形態に対して、冷却ファン１０の下方の高流速領域Ａ１だけでなく冷却ファン２０の上方の高流速領域Ａ２にも、空気の流れが速い領域が存在する場合の例を示している。車両用冷却ファン装置１Ａの搭載位置や車両の走行状態によって、高流速領域Ａ１及び高流速領域Ａ２において空気の流れが速くなる場合がある。
この場合、図５に示すように、遮蔽リブ３０Ｆにおける下端近傍部に切欠き部Ｋ１を設けるとともに、上端近傍部にも切欠き部Ｋ２を設ける。
この切欠き部Ｋ１、Ｋ２により、冷却ファン１０、２０が駆動された際、高流速領域Ａ１に対しては切欠き部Ｋ１を通って冷却ファン２０の側からも空気が流入し、高流速領域Ａ２に対しては切欠き部Ｋ２を通って冷却ファン１０の側からも空気が流入し、高流速領域Ａ１、Ａ２における空気の流速をより低減させることができる。
これにより、空気の流れが速い領域がなくなり、空気の流れの速度が均一化され、冷却ファンの駆動に伴う騒音を低減することができる。
【００２０】
以上、本実施の形態にて説明した車両用冷却ファン装置１、１Ａでは、より下方に配置された冷却ファン１０の下方の高流速領域Ａ１において空気の流れが速い場合（図２参照）、または高流速領域Ａ１と、より上方に配置された冷却ファン２０の上方の高流速領域Ａ２と、の双方において空気の流れが速い場合（図４参照）を説明したが、高流速領域Ａ２のみで空気の流れが速い場合は、遮蔽リブ３０Ｆの上端近傍部のみに切欠き部Ｋ２を設ければよい。従って、遮蔽リブ３０Ｆの上端近傍部または下端近傍部の少なくとも一方に切欠き部を設ければよい。
なお、遮蔽リブ３０Ｆは、隣り合う冷却ファンの互いの干渉を回避するために設けているので、切欠き部を設けることは好ましくない可能性が考えられる。しかし、図４及び図５に示すように、冷却ファン１０の高流速領域Ａ１の流速を低減する切欠き部Ｋ１は下端近傍部に設けられており、干渉の可能性が考えられる冷却ファン２０は上方に配置されているので、切欠き部Ｋ１と冷却ファン２０とが離れており、問題となるような干渉はほとんど発生しない。同様に、冷却ファン２０の高流速領域Ａ２の流速を低減する切欠き部Ｋ２は上端近傍部に設けられており、干渉の可能性が考えられる冷却ファン１０は下方に配置されているので、切欠き部Ｋ２と冷却ファン１０とが離れており、問題となるような干渉はほとんど発生しない。
【００２１】
なお、切欠き部Ｋ１、Ｋ２のサイズは、冷却ファンの駆動に伴う騒音を低減できるサイズであるとともに互いの冷却ファンの干渉の回避を維持することができる適切なサイズに選定されている。
以上に説明したように、遮蔽リブ３０Ｆの上端近傍部、下端近傍部の少なくとも一方に切欠き部を設ける、という非常にシンプルな構造にて、切欠き部の近傍において空気の流速をより低減し、冷却ファンの駆動に伴う騒音をより低減することが可能となる。なお本実施の形態にて説明した車両用冷却ファン装置は、ファンシュラウド内の遮蔽リブに切欠き部を設けるだけの非常にシンプルな構造であるので、冷却性能を低下させることもなく、新たなスペースも必要とせず、車両内の限られたスペースに従来どおり収めることができる。
【００２２】
本発明の車両用冷却ファン装置は、本実施の形態で説明した構成、構造、形状等に限定されず、本発明の要旨を変更しない範囲で種々の変更、追加、削除が可能である。
例えば、本実施の形態の説明では、ファンシュラウド３０内に、ラジエータ４２またはコンデンサ４１を収容しているが、ファンシュラウドは、ラジエータまたはコンデンサに空気流を誘導できればよい。具体的には、ファンシュラウド内にラジエータを収容せず、ラジエータの上下左右の外枠に、ファンシュラウドの前端縁が近接して配置されている構造においても、本発明を実施することはできる。
また、本実施の形態の説明では、ファンシュラウド３０の形状を直方体の箱状形状とした例を説明したが、ファンシュラウド３０の形状は、箱状形状であればよく、直方体に限定されるものではない。
また、本実施の形態の説明では、２個の冷却ファン１０、２０を有する例を説明したが、冷却ファンは２個以上であれば何個でもよい。
また、冷却ファン１０、２０は、電動ファンに限定されず、エンジンの回転動力が伝達されたベルト等にて駆動されるように構成されていてもよい。
【符号の説明】
【００２３】
１、１Ａ      車両用冷却ファン装置
１０、２０    冷却ファン
３０      ファンシュラウド
３０Ｅ    背面パネル（ファン取付面）
３０Ｆ    遮蔽リブ
４１      コンデンサ
４２      ラジエータ
Ａ１、Ａ２    高流速領域
Ｈ１、Ｈ２    取付孔
Ｋ１、Ｋ２    切欠き部
【図１】
2014101870.tif 000003
【図２】
2014101870.tif 000004
【図３】
2014101870.tif 000005
【図４】
2014101870.tif 000006
【図５】
2014101870.tif 000007